(57)【要約】【課題】掃除機本体への集塵容器の出し入れ操作性を改善できる電気掃除機を提供すること。【解決手段】集塵容器４１０を収納室のあらかじめ設定された正規収納位置に配置したときに集塵容器４１０がロック手段１２００により掃除機本体に固定され、解除手段１３００によりロック手段１２００の固定を解除したときに集塵容器４１０がポップアップ手段１１００，１１１０により正規収納位置から上部開口２２Ａに向けてポップアップされるポップアップ機構１０００を備えた電気掃除機であって、蓋ケース５００に、この蓋ケース５００が上部開口２２Ａを閉じる回動途中でポップアップ状態の集塵容器４１０を押圧して正規収納位置まで移動させる押圧部５２１を設けた。【選択図】図７
2008067930.tif 000002
【特許請求の範囲】
【請求項１】
掃除機本体に設けられた電動送風機により吸い込まれた塵埃を溜める集塵容器と、
前記掃除機本体に設けられ、前記集塵容器を開口を通して着脱可能に収容する収納室と、
この収納室の開口を開閉する蓋ケースと、
この蓋ケースを、前記開口を閉じたケース閉位置で前記掃除機本体にロックするロック部と、
前記集塵容器を収納室のあらかじめ設定された正規収納位置に配置したときに固定手段により前記掃除機本体に固定され、解除手段により固定手段の固定を解除したときにポップアップ手段により集塵容器を前記正規収納位置から前記開口に向けてポップアップさせるポップアップ機構と、
前記蓋ケースに設けられ、この蓋ケースにより前記開口を閉じる際にポップアップ状態の前記集塵容器を押圧して前記正規収納位置まで移動させる押圧部と、
を備えていることを特徴とする電気掃除機。
【発明の詳細な説明】
【技術分野】
【０００１】
この発明は、吸引した塵埃を溜める集塵容器が掃除機本体に着脱可能な電気掃除機に関する。
【背景技術】
【０００２】
従来から、集塵容器を掃除機本体に着脱自在に設けた電気掃除機が知られている（特許文献１参照）。
【０００３】
かかる電気掃除機は、集塵容器室を内部に形成した掃除機本体と、集塵容器室の上部開口を通して、この集塵容器室に着脱自在に装着される集塵容器と、前記上部開口を開閉する蓋体と、前記集塵容器室の下流側に設けられた電動送風機等とを備えている。
【特許文献１】特開２００５−２９６４６４号公報
【発明の開示】
【発明が解決しようとする課題】
【０００４】
上述のような電気掃除機にあっては、集塵容器を掃除機本体から取り外すときには、先ず、ロック部のロックを解除して蓋ケースを開けて集塵容器室を開放させ、この後、集塵容器を固定する固定手段の固定を解除して集塵容器を取り出す。
【０００５】
また、集塵容器に溜まった塵埃を捨てた後には、集塵容器を正規収容位置に配置させて固定手段により固定させ、その後、蓋ケースを閉じてロック部をロックするという操作となる。
【０００６】
以上のように、集塵容器の出し入れの際には、蓋ケースの開閉操作、集塵容器の出入操作、ロック部や固定手段のロック解除および固定解除操作、ロック部や固定手段のロックおよび固定操作を行う必要があり、操作が面倒であった。
【０００７】
さらに、集塵容器を正規収容位置まで移動させないで蓋ケースを閉じた場合、集塵容器が固定手段により固定されず、この場合、その後の使用時に、正しく作動されないおそれがあった。
【０００８】
この発明は、掃除機本体への集塵容器の出し入れ操作性を改善できる電気掃除機を提供することを目的としている。
【課題を解決するための手段】
【０００９】
本発明の電気掃除機は、掃除機本体に設けられた電動送風機により吸い込まれた塵埃を溜める集塵容器と、前記掃除機本体に設けられ、前記集塵容器を開口を通して着脱可能に収容する収納室と、この収納室の開口を開閉する蓋ケースと、この蓋ケースを、前記開口を閉じたケース閉位置で前記掃除機本体にロックするロック部と、前記集塵容器を収納室のあらかじめ設定された正規収納位置に配置したときに固定手段により前記掃除機本体に固定され、解除手段により固定手段の固定を解除したときにポップアップ手段により集塵容器を前記正規収納位置から前記開口に向けてポップアップさせるポップアップ機構と、前記蓋ケースに設けられ、この蓋ケースにより前記開口を閉じる際にポップアップ状態の前記集塵容器を押圧して前記正規収納位置まで移動させる押圧部と、を備えていることを特徴とする。
【発明の効果】
【００１０】
この発明によれば、ポップアップ機構の固定手段の固定を解除すると、集塵容器がポップアップ手段により正規収納位置から開口へ向けてポップアップされる。よって、集塵容器の取り出しが容易となる。
【００１１】
また、集塵容器を装置本体の収納室に収納する場合、集塵容器をポップアップ手段によりポップアップされたポップアップ位置に配置した後、蓋ケースにより開口を閉じると、その際に、蓋ケースに設けられた押圧部が集塵容器を押圧し、集塵容器が、正規収納位置まで移動されて、ポップアップ機構の固定手段により固定される。
【００１２】
このように、蓋ケースにより開口を閉じるのに連動して、集塵容器が正規収納位置で固定手段により固定されるため、この集塵容器の固定と蓋ケースのロックとを別々に行うのに比べて、操作が容易になる。
【００１３】
また、使用者が、集塵容器を収納位置まで戻すのを忘れたり、操作力が不十分であったりして、集塵容器がポップアップ位置に配置されている場合であっても、蓋ケースを閉じれば集塵容器が正規収納位置に移動して固定手段により固定される。
【００１４】
このように、集塵容器が確実に正規収納位置に配置されるため、正規収納位置に配置されない装着不良を原因とした作動不良も回避できる。
【発明を実施するための最良の形態】
【００１５】
以下、この発明に係る電気掃除機の実施の形態である実施例を図面に基づいて説明する。
【００１６】
なお、特許請求の範囲に記載のロック部とロック解除部は、それぞれ別体であっても一体であってもよいが、本実施例では、後述するクランプ７００により一体のものとした実施例により説明する。
【実施例１】
【００１７】
図１に示す電気掃除機１０は、掃除機本体１１と、この掃除機本体１１の接続口１１Ａに一端が着脱自在に接続されその他端には手元操作管１３が設けられている集塵ホース１２と、手元操作管１３に着脱自在に接続した延長管１４と、延長管１４の先端部に着脱自在に接続された吸込口体１５とを備えている。手元操作管１３には操作部１３Ａが設けられており、この操作部１３Ａには電動送風機２４の駆動を停止する切スイッチ１３ａや電動送風機２４のパワーを設定する強弱スイッチ１３ｂなどが設けられている。
【００１８】
吸込口体１５には、その底面に塵埃を吸引する図示しない吸込開口を形成した吸込室（図示せず）が形成されており、この吸込室は延長管１４と集塵ホース１２と接続口１１Ａを介して掃除機本体１１内に設けた集塵ユニット５０（図１０参照）の吸込接続口５７ａに連通している。
【００１９】
掃除機本体１１は、本体ケース２０と、本体ケース２０内に装着された集塵ユニット５０（図２参照）と、電動送風機２４とを備えている。
【００２０】
本体ケース２０の前側には、図２ないし図４に示すように、上部開口２２Ａを有する集塵ユニット室（収納室）２２が形成され、本体ケース２０の上部に蓋ケース５００（図１参照）が開閉自在に取り付けられている。この蓋ケース５００により集塵ユニット室２２とともに本体ケース２０の上部全体が覆われている。
【００２１】
また、集塵ユニット室２２内には、後述する集塵容器４１０（図１１）をポップアップさせるポップアップ機構１０００（図７参照）が設けられている。
【００２２】
また、図１に示すように蓋ケース５００の両側部の下部には斜め下方に延びた一対の脚部５０１が形成され、この脚部５０１の下部５０１Ａが本体ケース２０に設けた円筒車軸１７（図５参照）に回動可能に装着されるとともに、円筒車軸１７に取り付けられた後輪１６を覆っている。そして、図５に示すように円筒車軸１７内には捩りコイルバネ１８が装着され、捩りコイルバネ１８の一端は円筒車軸１７に固定され、捩りコイルバネ１８の他端１８Ａは脚部５０１に固定されており、この捩りコイルバネ１８は蓋ケース５００を円筒車軸１７を中心にして図１において時計回りに付勢している。
【００２３】
実際には、円筒車軸１７に回転体９００（図２参照）を回転自在に装着させ、この回転体９００のアーム部９０１の突起９０２（図１４参照）に捩りコイルバネ１８の他端１８Ａを係止させ、アーム部９０１を蓋ケース５００の脚部５０１内に係止させて、蓋ケース５００を時計回りに付勢するものである。
【００２４】
そして、蓋ケース５００は円筒車軸１７を中心にして時計回りに回動することにより蓋ケース５００が図１６の鎖線で示すように開成するようになっている。
【００２５】
蓋ケース５００の前側には、図６および図７に示すようにほぼ逆Ｌ字形の係合部材５１０が設けられている。
【００２６】
また、本体ケース２０の電動送風機２４の前側（図１において左側）に前面開口２５Ｂ（図１４参照）を有する円筒状の接続風路部（図示せず）が形成され、この接続風路部は電動送風機２４の吸込開口２４Ａに連通している。
【００２７】
接続風路部の前面開口２５Ｂには図１４に示すように回転自在な格子部材６００が設けられており、この格子部材６００は図示しないモータにより回転するようになっている。
【００２８】
格子部材６００には複数の突起６０１が設けられており、この突起６０１は後述するプリーツフィルタ１０４（図１３参照）の谷部に係合して、後述するプリーツフィルタ体１００を回転させていくようになっている。このプリーツフィルタ１０４を回転させることにより、図示しない除塵手段がプリーツフィルタ１０４に付着した細塵を落としていく。
【００２９】
本体ケース２０の接続口１１Ａの上には、閉成された蓋ケース５００をロックするクランプ７００が設けられている。
【００３０】
このクランプ７００は、図７および図８に示すように、上面が曲面に形成された操作部（ロック解除部）７０１を有しており、この操作部７０１の後面７０１Ａの両側には後方（図７において右側）へ突出した支持板部７０２,７０２が形成され、この支持板部の外側面に軸部７０３,７０３が形成されている。
【００３１】
この軸部７０３,７０３は、図３に示すように本体ケース２０に設けた軸受部２７,２７に回動自在に保持されている。そして、クランプ７００は図示しないスプリングにより図７において軸部７０３を中心にして時計回りに付勢されている。クランプ７００は図示しない規制部材より図７に示す位置より時計回りに回動しないようになっている。
【００３２】
そして、クランプ７００は、操作部７０１が上から下方に押されると、図示しないスプリングの付勢力に抗して図７に示す位置から軸部７０３,７０３を中心にして反時計回りに回動するようになっている。
【００３３】
操作部７０１の前端には下方に延びた前壁部７０４が形成され、この前壁部７０４の下部には後方へ延びた押圧部７０５が形成されている。この押圧部７０５の後部には上方へ延びた支持部７０６が形成され、この支持部７０６の上部には係止爪（ロック部）７０７が形成されている。
【００３４】
この係止爪７０７は、図６および図７に示すように蓋ケース５００の係合部材５１０の先端部（ロック部）５１１に係合して、蓋ケース５００を本体ケース２０にロックするようになっている。
【００３５】
クランプ７００が、図９において反時計回りに回動されると、クランプ７００の係止爪７０７は蓋ケース５００の係合部材５１０の先端部５１１から外れ、蓋ケース５００のロックが解除される。
【００３６】
集塵ユニット５０は、図１０に示すように、塵埃分離ユニット４００と、この塵埃分離ユニット４００に着脱自在に装着される集塵容器４１０とを備えている。
【００３７】
塵埃分離ユニット４００は、塵埃分離部５２と、塵埃分離部５２と一体となっているフィルタ部８０とを備えている。
【００３８】
塵埃分離部５２は、図１０および図１２に示すように外周壁５３によって円筒状に形成された分離室部５４と、この分離室部５４内に分離室部５４の軸線に沿って設けられたほぼ円錐形状の塵埃分離手段５５と、分離室部５４の右側壁５４Ａの外側に設けた吸込風路部５６と、吸込接続口５７ａから分離室部５４へ空気を案内する案内風路管５７とを有している。吸込接続口５７ａは、塵埃分離ユニット４００が掃除機本体１１の集塵ユニット室２２に装着されると、掃除機本体１１の接続口１１Ａに連通されるようになっている。
【００３９】
分離室部５４の外周壁５３の上部には、図１２に示すように、空気から分離された塵埃を集塵容器４１０へ導入する導入開口５３Ａが形成されている。
【００４０】
また、分離室部５４の右側壁５４Ａには、円形の開口１５４Ａ（図１０参照）と扇状の開口１５４Ｂ（図１２参照）とが形成され、開口１５４Ａには塵埃分離手段５５が取り付けられており、開口１５４ＢにはネットフィルタＮＦ２（図示せず）が取り付けられている。また、右側壁５４Ａには接続開口５４Ａａが形成され、この接続開口５４Ａａには案内風路管５７が接続されており、分離室部５４と案内風路管５７とが連通している。
【００４１】
案内風路管５７から接続開口５４Ａａを介して分離室部５４内へ導入される空気は図１０において反時計回りに回転させるようになっている。
【００４２】
塵埃分離手段５５は、複数の枠５５ａと、この枠５５ａの周囲に貼り付けたネットフィルタＮＦ１とから構成されている。そして、吸込風路部５６は、右側壁５４Ａの開口１５４ＡおよびネットフィルタＮＦ１（図１２参照）を介して分離室部５４内に連通し、また右側壁５４Ａの開口１５４ＢのネットフィルタＮＦ２（図示せず）を介して分離室部５４内に連通している。
【００４３】
吸込風路部５６は、後述するフィルタ部８０の収納ケース８１内に連通しているとともに、その右側壁部１５６（図１２参照）に形成した接続開口５６Ａを介して後述する集塵ケース部７４の集塵室部７３に連通している。
【００４４】
集塵容器４１０は、図１１および図１２に示すように、上部に左右方向に延びた連通路７１を形成した連通ケース部７２と、この連通ケース部７２の右端部（図１２において）から下方に延びるとともに塵埃を集塵する集塵室部７３を形成した集塵ケース部７４と、連通ケース部７２の上面に一体に形成されたアーチ状の取手部７５と、を有している。
【００４５】
連通ケース部７２の下面には、図１１に示すように連通路７１（図１２参照）に連通する開口７２Ａと、フック７２Ｆと、凹部７３Ａとが形成されている。凹部７３Ａ内には上下方向に延びたリブ７２Ｒが形成されている。開口７２Ａは図１２に示すように塵埃分離部５２の導入開口５３Ａに接続されている。
【００４６】
また、集塵ケース部７４の左側壁部７４Ｂには接続開口７５が形成されており、この接続開口７５にはネットフィルタＮＦ３が取り付けられている。
【００４７】
また、集塵ケース部７４は開閉可能な蓋部７４Ａを有しており、図１１に示すように蓋部７４Ａの下部には下方に延びたリブ７４Ｒが形成されている。蓋部７４Ａは、軸線７４Ｊ回りに回動可能になっており、この回動によって開閉するものである。
【００４８】
そして、集塵容器４１０を塵埃分離ユニット４００に装着すると、図１２に示すように、集塵容器４１０の開口７２Ａに塵埃分離部５２の導入開口５３Ａが接続され、集塵容器４１０の接続開口７５が塵埃分離ユニット４００の吸込風路部５６の接続開口５６Ａに接続されるようになっている。
【００４９】
フィルタ部８０は、図１３に示すように後面が開口されるとともに円筒状の収納ケース８１と、この収納ケース８１内に回転自在に取り付けられたプリーツフィルタ体（二次フィルタ）１００とを有している。収納ケース８１の前壁部８４の前面には塵埃分離部５２（図１０参照）が一体に形成されている。
【００５０】
収納ケース８１の前壁部８４には、図１２および図１３に示すように接続開口８４Ａが形成され、この接続開口８４Ａが吸込風路部５６に接続されている。そして、その接続開口８４Ａを介して収納ケース８１内と吸込風路部５６とが連通している。
【００５１】
プリーツフィルタ体１００は、図１３に示すように、収納ケース８１の中心位置に設けた軸部１０１Ａから放射状にプリーツを形成したプリーツフィルタ１０４を有している。
【００５２】
そして、本体ケース２０の集塵ユニット室２２に集塵ユニット５０を装着すると、収納ケース８１の後面開口８１Ｂが本体ケース２０の接続風路部の前面開口２５Ｂ（図１４参照）に接合される。
【００５３】
ポップアップ機構１０００は、図７に示すように、集塵容器４１０を上部開口２２Ａに向けてポップアップ（集塵容器４１０をスプリングにより上に持ち上げること）させる一対のポップアップ手段１１００,１１１０（図３参照）と、集塵容器４１０を塵埃分離ユニット４００の正規収納位置に固定するロック手段（固定手段）１２００と、このロック手段１２００のロックを解除させる解除手段１３００とを備えている。
【００５４】
ポップアップ手段１１００は、塵埃分離ユニット４００の塵埃分離部５２の外周壁５３の上面に設けられ且つ上方に延びるとともに断面が方形の筒状のガイドケース１１０１と、このガイドケース１１０１内に配置されたスプリング１１０２（図３において省略）とを有している。ガイドケース１１０１には上下方向に延びる一対のスリット１１０３（図３参照）が形成されている。
【００５５】
ポップアップ手段１１１０は、同様にして集塵ユニット室２２に設けられた筒状のガイドケース１１１１（図３参照）と、このガイドケース１１１１内に配置されたスプリング１１１２（図７参照）とを有している。ガイドケース１１１１には上下方向に延びる一対のスリット１１１３が形成されている。
【００５６】
そして、集塵容器４１０を塵埃分離ユニット４００に装着すると、集塵容器４１０のリブ７２Ｒ,７４Ｒ（図１１参照）がガイドケース１１０１,１１１１のスリット１１０３,１１１３に入り込んでスプリング１１０２,１１１２（図７参照）を付勢力に抗して圧縮させる。このスプリング１１０２,１１１２の付勢力によって集塵容器４１０を上方に付勢するものである。
【００５７】
ロック手段１２００は、案内風路管５７の上部に前後方向（図７において左右方向）に移動可能に設けられるとともに前後方向に延びたスライド部材１２０１と、このスライド部材１２０１を前後方向へ覆うとともにこれをガイドするガイドカバー１２０２（図４参照）と、スライド部材１２０１を左方向（図７において）へ付勢するスプリング（図示せず）とを備えている。
【００５８】
スライド部材１２０１の後部側には、上方に突出した断面が矩形の筒部１２０３が形成され、この筒部１２０３がガイドカバー１２０２の開口１２０２Ａ（図３参照）から突出されている。筒部１２０３の前後方向の長さは、その開口１２０２Ａの前後方向の幅より短く設定され、スライド部材１２０１の前後方向の移動に支障を来さないようになっている。
【００５９】
そして、筒部１２０３の上面には開口１２０４が形成され、集塵容器４１０を塵埃分離ユニット４００に装着すると、集塵容器４１０のフック７２Ｆがその開口１２０４に入り込んでその縁部（固定手段）１２０４ａに係合され、この係合により集塵容器４１０が図７に示す正規収納位置にロックされるようになっている。
【００６０】
解除手段１３００は、スライド部材１２０１と、このスライド部材１２０１を、図７において右方向である電気掃除機後方へ移動させるクランプ７００の押圧部７０５等とから構成される。そして、クランプ７００は、操作部７０１が上から押されて図９に示すように回動すると、クランプ７００の押圧部７０５が図示しないスプリングの付勢力に抗してスライド部材１２０１の先端部１２０１ａに当接してスライド部材１２０１を図９において右方へ移動させる。この移動により、集塵容器４１０のフック７２Ｆがスライド部材１２０１の筒部１２０３の開口１２０４の縁部１２０４ａから外れ、集塵容器４１０のロックが解除される。
【００６１】
クランプ７００の操作部７０１が押されていないときには、クランプ７００の押圧部７０５とスライド部材１２０１の先端部１２０１ａとの間に所定の隙間が形成されている。
【００６２】
したがって、ポップアップ機構１０００は、解除手段１３００によりロック手段１２００による集塵容器４１０の固定を解除すると、集塵容器４１０は、ポップアップ手段１１００，１１１０の付勢力で、正規収納位置から上方にポップアップされる。なお、集塵容器４１０が、ポップアップ手段１１００，１１１０により上方に持ち上げられた位置のことを、本明細書では、ポップアップ位置と称する。
【００６３】
さらに、図７に示すように、蓋ケース５００の裏面には、ポップアップ位置に配置された集塵容器４１０を、正規収容位置へ押し下げる押圧部５２１が形成されている。この押圧部５２１は、蓋ケース５００の裏面に剛性向上のために設けられたリブ５２２の一部を下方へ突出させて形成されており、図示の正規収納位置に配置された集塵容器４１０の取手部７５の上面に当接する位置および突出量に形成されている。
【００６４】
また、押圧部５２１は、取手部７５の前後方向の長さよりも長く形成されている。これは、図９に示すように集塵容器４１０をポップアップ位置に配置した場合でも、押圧部５２１を取手部７５の上面に当接させるためである。
【００６５】
すなわち、蓋ケース５００は、前述したように、電気掃除機１０の下部の円筒車軸１７を中心に回動可能に支持されており、押圧部５２１は、円筒車軸１７を中心とした回動軌跡で移動する。それに対して、集塵容器４１０は、上下方向に移動する。
【００６６】
このため、蓋ケース５００の回動軌跡上において、正規収納位置に配置された集塵容器４１０の取手部７５の上面に重なる位置と、ポップアップ位置に配置された集塵容器４１０の取手部７５の上面に重なる位置とが、電気掃除機１０の前後方向で異なる。そこで、押圧部５２１は、正規収納位置とポップアップ位置のいずれでも、取手部７５の上面に確実に当接する前後方向長さを有している。
【００６７】
［動  作］
次に、上記のように構成される電気掃除機の動作について説明する。
【００６８】
先ず、図２に示すように、集塵ユニット５０を掃除機本体１１の集塵ユニット室２２に装着し、図１に示すように集塵ホース１２を掃除機本体１１の接続口１１Ａに接続するとともに手元操作管１３に延長管１４を介して吸込口体１５を接続する。
【００６９】
手元操作管１３の操作部１３Ａの強弱スイッチ１３ｂが操作されると、電動送風機２４が駆動される。この電動送風機２４の駆動により、電動送風機２４の吸込開口２４Ａから空気が吸い込まれて、図示しない接続風路部を介して集塵ユニット５０の収納ケース８１内に負圧が作用し、さらに吸込風路部５６を介して集塵ケース部７４内や塵埃分離部５２の分離室部５４に作用する。そして、その負圧が案内風路管５７を介して集塵ホース１２,延長管１４および吸込口体１５に作用し、吸込口体１５から空気とともに塵埃が吸引されていく。
【００７０】
この吸引された塵埃および空気が延長管１４および集塵ホース１２を介して集塵ユニット５０の吸込接続口５７ａへ吸引されていく。この吸込接続口５７ａへ吸引された塵埃および空気は案内風路管５７を通って塵埃分離部５２の分離室部５４内へ導入され、この分離室部５４内では図１０において反時計回りに回転していく。
【００７１】
そして、この回転により塵埃と空気が慣性により分離され、空気が塵埃分離手段５５のネットフィルタＮＦ１（図１２参照）や開口１５４ＢのネットフィルタＮＦ２（図示せず）を通り、さらに吸込風路部５６を通ってフィルタ部８０の収納ケース８１内へ吸引されていく。
【００７２】
他方、分離された塵埃は、慣性力によって分離室部５４の導入開口５３Ａから集塵容器４１０の連通ケース部７２内へ一部の空気とともに導入される。この導入された塵埃および空気は連通ケース部７２の連通路７１を通って集塵室部７３へ吸引されていき、塵埃は集塵室部７３に集塵されていく。
【００７３】
集塵室部７３へ吸引された空気は、細塵とともにネットフィルタＮＦ３を通って吸込風路部５６に吸引され、さらにフィルタ部８０の収納ケース８１内へ吸引されていく。この際、前記細塵はプリーツフィルタ１０４によって捕捉される。
【００７４】
収納ケース８１内へ吸引された空気は、プリーツフィルタ体１００のプリーツフィルタ１０４を通って掃除機本体１１の接続風路部（図示せず）へ吸引され、さらに電動送風機２４の吸込開口２４Ａへ吸引されていく。
【００７５】
電動送風機２４の吸込開口２４Ａへ吸引された空気は電動送風機２４内を通って図２に示す掃除機本体１１の排気口（図示せず）から排気されていく。
【００７６】
手元操作管１３の操作部１３Ａの切スイッチ１３ａが操作されると、格子部材６００が図示しないモータにより所定時間だけ回転され、これによりプリーツフィルタ体１００が回転されて、図示しない除塵手段によりプリーツフィルタ１０４に付着した細塵が落されていく。
【００７７】
そして、掃除の終了後、集塵容器４１０に溜まった塵埃を捨てる場合、クランプ７００の操作部７０１を上から押圧する。この押圧により、クランプ７００は図示しないスプリングの付勢力に抗して図７に示す位置から軸部７０３を中心にして反時計回りに回動する。
【００７８】
クランプ７００が、図９において反時計回りに回動されると、クランプ７００の係止爪７０７は蓋ケース５００の係合部材５１０の先端部５１１から外れ、蓋ケース５００のロックが解除される。このロックが解除されると、蓋ケース５００は捩りコイルバネ１８（図５参照）によって図１６の鎖線で示すように開成する。
【００７９】
他方、クランプ７００が図９に示すように回動すると、クランプ７００の押圧部７０５がスライド部材１２０１を右方へ移動させ、この移動によりロック手段１２００にあっては、集塵容器４１０のフック７２Ｆが、スライド部材１２０１の開口１２０４の縁部１２０４ａから外れ、集塵容器４１０の固定が解除される。
【００８０】
これにより、集塵容器４１０のリブ７２Ｒ，７４Ｒが、図１５に示すようにガイドケース１１０１，１１１１のスプリング１１０２，１１１２の付勢力によって、上方へ押し上げられる。すなわち、集塵容器４１０がスプリング１１０２，１１１２の付勢力によって図１５および図１７に示すようにポップアップされてポップアップ位置に配置される。
【００８１】
ところで、クランプ７００の押圧部７０５とスライド部材１２０１の先端部１２０１ａとの間に隙間があることにより、クランプ７００の操作部７０１を押圧したときには、まず、ロック部としての係止爪７０７と先端部５１１との係合が外れて蓋ケース５００が開成され、これに遅れてロック手段１２００の係合が外れる。したがって、集塵容器４１０のポップアップが確実に行われる。
【００８２】
このように、クランプ７００の操作部７０１を押圧するだけで、蓋ケース５００が開成されて集塵容器４１０がポップアップされるので、掃除機本体１１からの集塵容器４１０の取り外しが容易になる。
【００８３】
次に、この集塵容器４１０に溜まった塵埃を捨てた後に、これを掃除機本体１１に装着する場合、使用者は、集塵容器４１０のリブ７２Ｒ，７４Ｒをそれぞれ、各ポップアップ手段１１００，１１１０のスリット１１０３，１１１３に差し込む。ここで、さらに集塵容器４１０を下方に押して正規収納位置に配置させてロック手段１２００をロックさせてもよいが、図１５に示すポップアップ位置のままにしてもよい。
【００８４】
このように集塵容器４１０をポップアップ位置に配置させた場合であっても、蓋ケース５００を、ロック部としての係止爪７０７と先端部５１１とが係合して上部開口２２Ａを完全に閉じる全閉位置まで回動させると、集塵容器４１０は、正規収納位置まで押し下げられて、ロック手段１２００がロック状態となって固定される。
【００８５】
すなわち、集塵容器４１０をポップアップ位置に配置して蓋ケース５００を閉じると、蓋ケース５００の回動途中で、図１５に示すように、蓋ケース５００の裏面のリブ５２２に形成した押圧部５２１が集塵容器４１０の取手部７５の上面に当接する。そして、蓋ケース５００がさらに閉方向に回動されると、集塵容器４１０が下方に押されてスプリング１１０２，１１１２の付勢力に抗して押し下げられ、正規収納位置に達した時点で、集塵容器４１０の下面のフック７２Ｆと筒部１２０３の縁部１２０４ａとが係合してロック手段１２００がロック状態となる。
【００８６】
なお、本実施例１では、図１５に示すように、蓋ケース５００の押圧部５２１が取手部７５に当接するのは、蓋ケース５００の全回動軌跡中において回動中心から最も前方に離された位置の近傍であり、この位置からの閉方向への回動軌跡がほぼ下方を向くことになり、集塵容器４１０は効率的に下方に押されるようになっている。
【００８７】
以上説明したように、本実施例１では、集塵容器４１０に溜まった塵埃を捨てる場合、蓋ケース５００のロックを解除する操作、すなわちクランプ７００を押して回動させると、蓋ケース５００が上方に回動するとともに、これに遅れて集塵容器４１０の固定が解除されて正規収納位置から上方へ持ち上げられる。
【００８８】
このように、集塵容器４１０の固定が解除されてポップアップされるから、ポップアップされない場合に比べ、取り出しが容易であり、かつ、クランプ７００の操作に加えて集塵容器４１０の固定解除操作を行うものに比べても、操作数が少なく、取り出しが容易である。
【００８９】
また、集塵容器４１０を正規収納位置に収納する場合、集塵容器４１０をポップアップ位置に配置した後、蓋ケース５００を、ロック部としての係止爪７０７によりロックされて上部開口２２Ａを完全に閉じる全閉位置まで回動させると、同時に、集塵容器４１０が正規収納位置まで押し下げられて、固定手段としてのロック手段１２００により固定されるようにした。
【００９０】
このため、集塵容器４１０の正規収納位置への装着と、蓋ケース５００の全閉操作とを、それぞれ行うのに比べ、操作数が少なく、操作が容易である。
【００９１】
また、使用者が集塵容器４１０をポップアップ位置に配置した後、正規収納位置まで押し込むのを忘れたり、押し込み操作力が不十分であったりして、集塵容器４１０が正規収納位置に固定されること無く、ポップアップ位置に配置されている場合であっても、蓋ケース５００を閉じれば正規収納位置に移動して固定される。このように、確実に集塵容器が正規収納位置に配置される。
【００９２】
このため、蓋ケース５００を閉じた後に、電気掃除機１０を使用したときに、集塵容器４１０の装着が不適切で、作動不良が生じることが無くなり、操作性に優れる。
【００９３】
さらに、本実施例１では、押圧部５２１を、蓋ケース５００の補強用のリブ５２２を利用して、その一部に形成したため、リブ５２２とは別に押圧部５２１を形成するのに比べて、同じ高さであれば、材料の使用量を削減でき、コスト的に有利である。
【実施例２】
【００９４】
図１８ないし図２１は第２実施例を示したものであり、この第２実施例では集塵容器４１０の集塵ケース部７４の集塵室部７３（図１２参照）に所定量の塵埃が溜まったとき、電動送風機２４の駆動が停止した後に自動的に蓋ケース５００の開成と集塵容器４１０のポップアップを行うようにしたものである。
【００９５】
集塵容器４１０の集塵室部７３の所定量の塵埃の検出は、図１８に示すように、発光ダイオードＤ１から集塵容器４１０の透明な集塵ケース部７４の所定位置に向けて赤外光を発光させ、この集塵ケース部７４の所定位置を通過してきた赤外光を受光ダイオードＤ２が受光する受光量に基づいて検出する。すなわち、集塵ケース部７４の集塵室部７３に塵埃が所定量溜まると、この溜まった塵埃が赤外光を遮光し、受光ダイオードＤ２が赤外光を受光しなくなることを利用して塵埃が所定量溜まったか否かを検出する。
【００９６】
発光ダイオードＤ１および受光ダイオードＤ２は掃除機本体１１の集塵ユニット室２２に設ける。そして、発光ダイオードＤ１と受光ダイオードＤ２とで塵埃量検出手段が構成される。
【００９７】
図１９ないし図２１において、８００はクランプ７００の下方位置に設けられるとともに左右方向（図１９および図２１において）に移動する移動部材であり、この移動部材８００の一端には前方（図２１において下方）に延びたアーム部８０１が設けられている。このアーム部８０１には長孔８０２が形成され、この長孔８０２内にはこの長孔８０２に沿って移動可能なピン８０３が挿入されている。
【００９８】
ピン８０３は円板８０５に偏芯した位置に設けられており、この円板８０５の中心部にはモータＭ２の駆動軸Ｍ２ａが装着されている。そして、モータＭ２の駆動により円板８０５が回転すると、移動部材８００は左右に往復移動することになる。
【００９９】
移動部材８００の後面（図２１において上面）には突出部８１０が形成され、この突出部８１０には傾斜面８１１が形成されている。そして、クランプ７００の支持部７０６の下部７０６Ｔと、スライド部材１２０１の先端部１２０１ａとが上記傾斜面８１１に対向し、スライド部材１２０１の先端部１２０１ａがクランプ７００の支持部７０６の下部７０６Ｔより引き込んでいる。
【０１００】
移動部材８００が左方向（図２１において）へ移動すると、突出部８１０の傾斜面８１１がクランプ７００の支持部７０６の下部７０６Ｔとスライド部材１２０１の先端部１２０１ａとに当接して、クランプ７００を図２０において軸部７０３を中心にして反時計回りに回動させ、スライド部材１２０１を右方向（図２０において）に移動させる。
【０１０１】
そして、モータＭ２と移動部材８００と突出部８１０とで蓋ケース５００のロックと集塵容器４１０のロックを解除するロック解除手段が構成される。
【０１０２】
クランプ７００の反時計回りの回動により蓋ケース５００が開成し、スライド部材１２０１を右方向への移動により集塵容器４１０がポップアップされる。
【０１０３】
この第２実施例では、クランプ７００の操作部７０１を手で押圧した場合、支持部７０６の下部７０６Ｔがスライド部材１２０１の先端部の段部１２０１ｄに当接してスライド部材１２０１を右方向へ移動させて、第１実施例と同様に蓋ケース５００の開成と集塵容器４１０のポップアップが行われるようになっている。
【０１０４】
図２２は第２実施例の制御系の構成を示したブロック図である。図２２において、Ｍ１は格子部材６００（図１４参照）を回転させるモータであり、２００は電動送風機２４やモータＭ１,Ｍ２を制御する制御装置である。
【０１０５】
［動  作］
次に、第２実施例の動作を簡単に説明する。
【０１０６】
手元操作管１３の操作部１３Ａの切スイッチ１３ａが操作されると、発光ダイオードＤ１から赤外光が発光され、集塵容器４１０の集塵ケース部７４を通過した赤外光を受光ダイオードＤ２が受光し、この受光ダイオードＤ２の受光量に基づいて制御装置２００が集塵ケース部７４の集塵室部７３に所定量の塵埃が溜まったか否かを判断する。制御装置２００が集塵室部７３に所定量の塵埃が溜まったと判断した場合、電動送風機２４およびモータＭ１の駆動が停止されていることを条件にモータＭ２を駆動させる。
【０１０７】
このモータＭ２の駆動により移動部材８００が左方向（図２１において）に移動され、クランプ７００が図２０において軸部７０３を中心にして反時計回りに回動されて、蓋ケース５００が開成される。
【０１０８】
他方、移動部材８００の移動によりスライド部材１２０１が右方向（図２０において）に移動され、これにより集塵容器４１０のフック７２Ｆがスライド部材１２０１の開口１２０４の縁部１２０４ａから外れ、集塵容器４１０がポップアップされる。
【０１０９】
スライド部材１２０１の先端部１２０１ａがクランプ７００の支持部７０６の下部７０６Ｔより引き込んでいることにより、クランプ７００の操作部７０１を押圧すると、蓋ケース５００が開成した後に集塵容器４１０のポップアップが行われる。
【０１１０】
なお、モータＭ２の駆動によって移動部材８００は円板８０５が１回転されて１往復移動されるものであり、蓋ケース５００の開成や集塵容器４１０のポップアップが行われた後、クランプ７００やスライド部材１２０１は初期位置（図２０に示す位置）に戻る。
【０１１１】
なお、本実施例１，２のポップアップ手段は、集塵容器４１０を上方に付勢する構成としたが、これに限るものではない。すなわち、集塵容器４１０を上部開口２２Ａに近づく方向に移動させるものであれば、上方以外の方向に付勢する構成としてもよい。また、掃除機本体１１に対する集塵容器４１０とポップアップ手段の配置などに応じて突出量は適宜設定し得るものである。
【０１１２】
また、塵埃量検出手段は、本実施例のように集塵量を直接量るものに限るものではなく、例えば、フィルタの目詰まりを検知することで塵埃量を検出するなどの種々の方法を用いることができる。
【０１１３】
また、実施例１，２では、集塵ユニット５０を掃除機本体１１に着脱可能なものを示したが、掃除機本体１１に固定されるものに適用してもよい。
【図面の簡単な説明】
【０１１４】
【図１】この発明に係る電機掃除機の外観を示した斜視図である。
【図２】蓋ケースを外した図１の掃除機本体の外観を示した斜視図である。
【図３】図２に示す掃除機本体の平面図である。
【図４】集塵容器を外した図２の掃除機本体の一部を拡大した斜視図である。
【図５】掃除機本体の円筒車軸に装着した捩りコイルバネ１８を示した説明図である。
【図６】クランプの係止爪と蓋ケースの係合部材との係合関係を示した説明図である。
【図７】集塵容器のポップアップ機構を示した説明図である。
【図８】クランプを示した平面図である。
【図９】蓋ケースのロックの解除と集塵ケースのロックの解除とを示した説明図である。
【図１０】集塵ユニットの外観を示した斜視図である。
【図１１】集塵容器の外観を示した斜視図である。
【図１２】集塵ユニットの構成を示した横断面図である。
【図１３】塵埃分離部の外観を示した斜視図である。
【図１４】掃除機本体の横断面図である。
【図１５】集塵容器がポップアップされた状態を示した説明図である。
【図１６】蓋ケースの開成を説明するための掃除機本体の側面図である。
【図１７】集塵容器がポップアップされた状態を示した説明図である。
【図１８】集塵容器に対する発光ダイオードと受光ダイオードの位置関係を示した説明図である
【図１９】移動部材の配置位置を示した斜視図である。
【図２０】移動部材とスライド部材との位置関係を示した説明図である。
【図２１】移動部材を移動させる構成を示した説明図である。
【図２２】第２実施例の電気掃除機の制御系の構成を示したブロック図である。
【符号の説明】
【０１１５】
１０   電気掃除機
１１   掃除機本体
２２   集塵ユニット室（収納室）
２４   電動送風機
４１０ 集塵容器
５００ 蓋ケース
５１０ 係合部材（ロック部）
５２１ 押圧部
７０１ 操作部（ロック解除部）
７０７ 係止爪（ロック部）
８００ 移動部材（ロック解除手段）
８１０ 突出部（ロック解除手段）
１０００      ポップアップ機構
１１００      ポップアップ手段
１１１０      ポップアップ手段
１２００      ロック手段（固定手段）
１３００      解除手段
Ｄ１   発光ダイオード（塵埃量検出手段）
Ｄ２   受光ダイオード（塵埃量検出手段）
Ｍ２   モータ（ロック解除手段）
【図１】
2008067930.tif 000003
【図２】
2008067930.tif 000004
【図３】
2008067930.tif 000005
【図４】
2008067930.tif 000006
【図５】
2008067930.tif 000007
【図６】
2008067930.tif 000008
【図７】
2008067930.tif 000009
【図８】
2008067930.tif 000010
【図９】
2008067930.tif 000011
【図１０】
2008067930.tif 000012
【図１１】
2008067930.tif 000013
【図１２】
2008067930.tif 000014
【図１３】
2008067930.tif 000015
【図１４】
2008067930.tif 000016
【図１５】
2008067930.tif 000017
【図１６】
2008067930.tif 000018
【図１７】
2008067930.tif 000019
【図１８】
2008067930.tif 000020
【図１９】
2008067930.tif 000021
【図２０】
2008067930.tif 000022
【図２１】
2008067930.tif 000023
【図２２】
2008067930.tif 000024